(57)【要約】【課題】  従来の寝具類収納は日常の出し入れ・保管に利便性がある収納用具がなかった。【解決手段】日常の寝具類保管は家事労働でも負荷が大きく、高齢になると重労働となるため、簡単で負荷が少なく湿気を蒸発させカビを防止する収納用品として、シート状の物に内包して収納し立てて保管もでき、持ち上げずに転がして移動も可能な寝具類収納用具にした。収納時に嵩張るような寝具類を収納の対象物とする寝具類収納用具であって、通気性向上のための穴開け加工を施したシート状本体と、その長手方向と直行する方向に延出した複数の結束体を備えており、前記結束体は前記シート状本体と一体又は着脱可能であり、前記シート状本体に対象物を置いた状態で前記シート状本体の両端部を重ね包み込んで仮止めし、円筒状になった前記シート状本体の両端部の開口部において前記結束体を異なる結束体と結束し、円筒形状を保持できるようにしたことを特徴とする寝具類収納用具によりその効果と利便性が期待できる。【選択図】図４
2017186075.tif 000002
【特許請求の範囲】
【請求項１】
収納時に嵩張るような寝具類を収納の対象物とする寝具類収納用具であって、通気性向上のための穴開け加工を施したシート状本体と、その長手方向と直行する方向に延出した複数の結束体を備えており、前記結束体は前記シート状本体と一体または着脱可能であり、前記シート状本体に対象物を置いた状態で前記シート状本体の両端部を重ね包み込んで仮止めし、円筒状になった前記シート状本体の両端部の開口部において前記結束体を異なる結束体と結束し、円筒形状を保持できるようにしたことを特徴とする寝具類収納用具。
【請求項２】
前記シート状本体内側に底になるような接地防止被せを付けて包み込む際に接地防止被せが同時に重なっていく構造を有する請求項１に記載の寝具類収納用具。
【請求項３】
蓋になるキャップを備えた請求項１に記載の寝具類収納用具。
【発明の詳細な説明】
【技術分野】
【０００１】  本発明は、寝具類を収納する用具に関する。
【背景技術】
【０００２】  従来の寝具類収納用具は袋状の形で頻繁に収納するには入れ難さがあり、収納してもその重さによって密着するなど収納場所の通気性を保ち難かった。結束体が本体の内包の巻回方向と平行する寝具類収納用具は公開済みのものもある（特許文献１参照）。
【先行技術文献】
【特許文献】
【０００３】
【特許文献１】  特開２００３−２３１５５５号公報
【発明の概要】
【発明が解決しようとする課題】
【０００４】  従来の寝具類収納は袋状のものが多く、日常の出し入れ・保管に利便性がある収納用具が市場に流通していなかった（特許文献１参照）。【０００５】  本発明は、日常の寝具類保管の重労働を軽減することと、その衛生面の改善を促すことを目的とするものである。
【課題を解決するための手段】
【０００６】  本発明は上記目的を達成するために、収納時に嵩張るような寝具類を収納の対象物とする寝具類収納用具であって、通気性向上のための穴開け加工を施したシート状本体と、その長手方向と直行する方向に延出した複数の結束体を備えており、前記結束体は前記シート状本体と一体または着脱可能であり、前記シート状本体に対象物を置いた状態で前記シート状本体の両端部を重ね包み込んで仮止めし、円筒状になった前記シート状本体の両端部の開口部において前記結束体を異なる結束体と結束し、円筒形状を保持できるようにしたことを特徴とする寝具類収納用具である。【０００７】  また、本発明は前記シート状本体内側に底になるような接地防止被せを付けて包み込む際に接地防止被せが同時に重なっていく構造を有する寝具類収納用具、または前記シート状本体に蓋になるキャップを備えた寝具類収納用具である。
【発明の効果】
【０００８】  上述したように本発明の寝具類収納用具は、立てて使えるため場所をとらずに保管できるうえ、重労働だった持ち運びを転がして行うことができ、更に立ててまたは横にして収納しても円筒状のため他との密着性が少なく通気性も保て、その利便性を発揮するものである。季節物の入れ替えや非日常の保管としてだけではなく日常の保管にも適しており、広げたシート状本体に寝具類の大きな対象物を仮止めして包むことができ、より簡単な手順で出し入れが行えるうえ、結束体で結束してズレ防止をすることで本体を円筒状に整え移動も楽になる。対象物からの湿気の蒸発や天日干しする際に対象物を内包したままで行うことができる特徴を有する。
【図面の簡単な説明】
【０００９】
【図１】  本発明の寝具類収納用具を平面に広げて置いた形状を示す展開図。
【図２】  寝具類収納用具で対象物を包み込む様子を示す斜視図。
【図３】  寝具類収納用具の端部を示す図。
【図４】  寝具類収納用具を立てておいた形状を示す斜視図。
【図５】  寝具類収納用具に接地防止被せを付け対象物を包み込む様子を示す斜視図。
【図６】  寝具類収納用具にキャップのみを被せる様子を示す斜視図。
【図７】  寝具類収納用具の仮止め時の動作を示す拡大図。
【発明を実施するための形態】
【００１０】  以下、本発明の実施形態を図１〜図８に基づいて説明する。
図１は、対象物を内包する、円筒形状を保持できるようにした、例えばポリエチレンのような軽くて丈夫な樹脂に適切な形状の穴８を開けたシート状本体１と、その全体を巻回するズレ落ち防止の結束体３ａ〜ｄの展開を示す。対象物を内包したシート状本体１が広がらずにまとめられるよう仮止めする際、仮止めベルト２を仮止めベルト差し込み口４へ差し込む。寝具類収納用具の端部の結束体３にて結束材６で対極の結束材３ａと３ｃ、３ｂと３ｄを結束させる（図３）。
【００１１】  図２は、寝ている間の体から放出されるコップ１杯分といわれる水分を含む対象物の湿気を多く含む側を外側にして丸め、その通気性向上のための穴８（その位置・形状は任意に設定することができる）開け加工を施したシート状本体１の上に載せるか、又は対象物の下に敷き込み内包していく様子を示す。図１と図２より結束体３がシート状本体１の表裏に潜るように差し込まれていることがわかる。なお、この結束体３は一体的に形成されたものであってもよい。
【００１２】  以上の要領で図４のように、円筒状にシート状本体１を立てることができる。この状態で仮止めベルト２を掴みながら持ち上げずに転がして運ぶことができる。より転がし易くするために図６で示したキャップ７を取り付ける組み合わせも可能である。さらに図２の結束体３の２か所を持ち手として円筒状本体を横にして持ち上げることもできる。
【００１３】  図５は、底に接地防止被せ５を付けた場合の様子を示す。対象物の湿気を多く含む側を外側にして丸め、シートの上に載せるか、又は対象物の下に敷き込み、接地防止被せ５を対象物の底側になる端部に反らせて設置し、内包と同時に接地防止被せ５が重なっていく様子を示す。図６は、シート状本体１で対象物を内包し仮止めベルト２を仮止めベルト差し込み口４へ差し込み仮止め後、前記シート状本体１をより転がり易くする為の着脱可能なキャップ７（図６で示した図はその形状の一例で結束体３で巻回しなくてもよい）のみを両端に被せる場合を示す。
【００１４】  図７は、シート状本体１の両端を重ねた際、対象物を内包したシート状本体１が広がらずにまとめられるよう、矢印の方向に仮止めベルト２を仮止めベルト差し込み口４に差し込み（Ａ方向）、そのまま仮止めベルト２を持ち広げてスライドさせ（Ｂ方向）両端へ挟み込み仮止めすることで、結束体３で結束する作業も簡単になる本発明の特徴を示す。
【００１５】  このように、本発明の寝具類収納用具は円筒形状になるため収納時の通気性が格段に良くなり、湿気の多い気候においてその効果は顕著である。本発明は前記実施の形態に限定されるものではなく、本発明の趣旨に基づいて種々変形させることが可能であり、それらを本発明から排除するものではない。また、結束体３・仮止めベルト２は使用者自身で穴に差し込むことができるようにして、各使用者によってその作業をすることでコストを低減することができる。
【符号の説明】
【００１６】    １  シート状本体
２  仮止めベルト
３  結束体
４  仮止めベルト差し込み口
５  接地防止被せ
６  結束材
７  キャップ
８  穴
【図１】
2017186075.tif 000003
【図２】
2017186075.tif 000004
【図３】
2017186075.tif 000005
【図４】
2017186075.tif 000006
【図５】
2017186075.tif 000007
【図６】
2017186075.tif 000008
【図７】
2017186075.tif 000009
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
収納時に嵩張るような寝具類を収納の対象物とする寝具類収納用具であって、通気性向上のための穴開け加工を施したシート状本体と、その長手方向と直交する方向に延出した複数の結束体を備えており、前記結束体は前記シート状本体と一体または着脱可能であり、前記シート状本体に対象物を置いた状態で前記シート状本体の両端部を重ね包み込んで仮止めし、円筒状になった前記シート状本体の両端部の開口部において前記結束体を異なる結束体と結束し、円筒形状を保持できるようにしたことを特徴とする寝具類収納用具。
【請求項２】
前記シート状本体内側に底になるような接地防止被せを付けて包み込む際に接地防止被せが同時に重なっていく構造を有する請求項１に記載の寝具類収納用具。
【請求項３】
蓋になるキャップを備えた請求項１に記載の寝具類収納用具。
【手続補正２】
【補正対象書類名】明細書
【補正対象項目名】０００６
【補正方法】変更
【補正の内容】
【０００６】
本発明は上記目的を達成するために、収納時に嵩張るような寝具類を収納の対象物とする寝具類収納用具であって、通気性向上のための穴開け加工を施したシート状本体と、その長手方向と直交する方向に延出した複数の結束体を備えており、前記結束体は前記シート状本体と一体または着脱可能であり、前記シート状本体に対象物を置いた状態で前記シート状本体の両端部を重ね包み込んで仮止めし、円筒状になった前記シート状本体の両端部の開口部において前記結束体を異なる結束体と結束し、円筒形状を保持できるようにしたことを特徴とする寝具類収納用具である。
【手続補正３】
【補正対象書類名】明細書
【補正対象項目名】００１０
【補正方法】変更
【補正の内容】
【００１０】
以下、本発明の実施形態を図１〜図７に基づいて説明する。
図１は、対象物を内包する、円筒形状を保持できるようにした、例えばポリエチレンのような軽くて丈夫な樹脂に適切な形状の穴８を開けたシート状本体1と、その全体を巻回するズレ落ち防止の結束体３a〜３dの展開を示す。対象物を内包したシート状本体１が広がらずにまとめられるよう仮止めする際、仮止めベルト２を仮止めベルト差し込み口４へ差し込む。寝具類収納用具の端部の結束体３にて結束材６で対極の結束材３aと３c、３bと３dを結束させる（図３）。
【手続補正４】
【補正対象書類名】図面
【補正対象項目名】図２
【補正方法】変更
【補正の内容】
【図２】
2017186075.tif 000010
【手続補正５】
【補正対象書類名】図面
【補正対象項目名】図３
【補正方法】変更
【補正の内容】
【図３】
2017186075.tif 000011
【手続補正６】
【補正対象書類名】図面
【補正対象項目名】図４
【補正方法】変更
【補正の内容】
【図４】
2017186075.tif 000012
【手続補正７】
【補正対象書類名】図面
【補正対象項目名】図５
【補正方法】変更
【補正の内容】
【図５】
2017186075.tif 000013